【手続補正書】
【提出日】平成21年5月14日(2009.5.14)
【手続補正１】
【補正対象書類名】特許請求の範囲
【補正対象項目名】全文
【補正方法】変更
【補正の内容】
【特許請求の範囲】
【請求項１】
ステントレス支持構造であって、
第１の構成と第２の構成とを有する管状構造を形成するために編み込まれた少なくとも１つのストランド
を備え、該第１の構成において、該管状構造は、
第１端および第２端と、
該第１端と該第２端との間の細長い本体と
を含み、該第２の構成において、該管状構造は、２つ以上の層を有する該本体の断面を作成する少なくとも１つの折り返しを含む、ステントレス支持構造。
【請求項２】
前記少なくとも１つの折り返しは、前記第２の構成において、長手方向に前記本体を縮める、請求項１に記載のステントレス支持構造。
【請求項３】
前記管状構造は、前記第１の構成において単一の層を備えている、請求項１に記載のステントレス支持構造。
【請求項４】
前記管状構造は、前記第２の構成において複数の層を備えている、請求項１に記載のステントレス支持構造。
【請求項５】
前記第１の構成において、前記ステントレス支持構造は、２０Ｆｒのカテーテルの管腔の中に収容されることが可能である、請求項１に記載のステントレス支持構造。
【請求項６】
前記第１端は、編み込まれていない端を備えている、請求項１に記載のステントレス支持構造。
【請求項７】
前記第２端は、折り返された端を備えている、請求項１に記載のステントレス支持構造。
【請求項８】
前記第１端は、複数の接続取り付け点を備えている、請求項１に記載のステントレス支持構造。
【請求項９】
前記第１端は、少なくとも１つの接続取り付け点を形成するように結合された複数の編み込まれていないストランドを備えている、請求項１に記載のステントレス支持構造。
【請求項１０】
管状構造を形成するために共に編み込まれた前記複数のストランドは、第１の直径の複数のストランドと、該第１の直径よりも大きい第２の直径の少なくとも１つのファイバとを備えている、請求項１に記載のステントレス支持構造。
【請求項１１】
前記第１端は、複数の接続取り付け点を有するワイヤフォームを備えている、請求項１に記載のステントレス支持構造。
【請求項１２】
前記管状構造の内壁にライニングをさらに備えている、請求項１に記載のステントレス支持構造。
【請求項１３】
前記第１層と前記第２層との間に挟まれたライニングをさらに備えている、請求項４に記載のステントレス支持構造。
【請求項１４】
支持構造を移植するシステムであって、
（ａ）カテーテルの内側における細長い状態の支持構造を、標的部位に経皮的に送達する手段と、
（ｂ）該支持構造の第１の部分が該標的部位の生来の組織に対して拡張するように、該支持構造に対して該カテーテルを引き込む手段と、
（ｃ）第１の折り返しが該第１の部分と該第２の部分との間に作成されるように、該支持構造の第２の部分を該第１の部分の中に前進させる手段と、
（ｄ）該第２の部分が該第１の部分の内側に対して拡張するまで、該第２の部分に対して該カテーテルを引き込み、それにより複数の層の支持構造を作成する手段と、
（ｅ）該支持構造を解放し、該カテーテルを該標的部位から移動する手段と
を含む、システム。
【請求項１５】
前記（ｂ）は、前記支持構造の前記第１の部分が、前記標的部位の生来の組織に対して拡張するように、該支持構造に対して前記カテーテルを引き込む手段を含み、該第１の部分は遠位端と近位端とを含み、該遠位端はカフを含む、請求項１４に記載のシステム。
【請求項１６】
前記（ｂ）は、
前記カフが拡張し、前記標的部位の前記生来の組織に接触するまで、前記支持構造に対して前記カテーテルを引き込む手段と、
該カフが生来の弁の遠位側に接触するまで、近位方向に向けて該カフを引く手段と、
前記第１の部分の該近位側が拡張し、該標的部位の該生来の組織に接触するまで、該支持構造に対して該カテーテルを引き込む手段と
を含む、請求項１５に記載のシステム。
【請求項１７】
標的部位の生来の組織を支持するシステムであって、
該生来の組織を支持するために充分な構造的統合性を欠いている該標的部位に材料を導入する手段と、
インサイチュで該材料を使用して、支持構造を造る手段と
を含む、システム。
【請求項１８】
前記生来の組織を支持するために充分な構造的完全性を欠いている前記標的部位に材料を導入する手段は、編み込まれた細長いメッシュのチューブを導入する手段を含む、請求項１７に記載のシステム。
【請求項１９】
前記編み込まれた細長いメッシュのチューブを導入する手段は、超弾性および形状記憶からなる群から選択される材料の少なくとも１つのストランドの編み込まれた細長いメッシュのチューブを導入する手段を含む、請求項１８に記載のシステム。
【請求項２０】
前記超弾性および形状記憶からなる群から選択される材料の少なくとも１つのストランドの編み込まれた細長いメッシュのチューブを導入する手段は、折り返された構成に既に事前形成されている単一のニチノールのストランドの編み込まれた細長いメッシュのチューブを導入する手段を含む、請求項１９に記載のシステム。
【請求項２１】
前記インサイチュで前記材料を使用して、前記支持構造を造る手段は、前記生来の組織を支持するために充分な構造的完全性が獲得されるまで、自身の上に該材料を折り返す手段を含む、請求項１７に記載のシステム。
【請求項２２】
前記生来の組織を支持するために充分な構造的完全性が獲得されるまで、自身の上に該材料を折り返す手段は、
細長い形式で、該材料を含んでいる前記標的部位に送達カテーテルを導入する手段と、
第１の長さの該材料を露出させ、それにより該第１の長さの材料が拡張することを可能にする手段と、
該第１の長さの内側に、第２の長さの該材料を前進させる手段と、
該第２の長さの該材料を露出させ、それにより該第２の長さが該第１の長さの内側面に対して拡張することを可能にする手段と
を含む、請求項２１に記載のシステム。
【請求項２３】
前記第２の長さの内側に第３の長さの前記材料を前進させる手段と、
該第３の長さの該材料を露出させ、それにより該第３の長さが該第２の長さの内側面に対して拡張することを可能にする手段と
をさらに含む、請求項２２に記載のシステム。
【請求項２４】
ステントレス支持構造であって、
第１の構成と第２の構成とを有する管状構造を形成するための編み込まれたストランド
を備え、該第１の構成において、該管状構造は、
第１端および第２端と、
該第１端と該第２端との間の細長い管状本体と
を含み、該第２の構成において、該管状構造は、
該本体を縮め、かつ、伸ばされた構成における該細長い本体の少なくとも２倍の数の層を有する該本体の断面を作成する、少なくとも１つの折り返しを含む、ステントレス支持構造。
【請求項２５】
支持構造を移植するシステムであって、
（ａ）カテーテルの内側において細長い状態の支持構造を、標的部位に経皮的に送達する手段と、
（ｂ）該支持構造の第１の部分が該カテーテルの外側に拡張するように、該支持構造に対して該カテーテルを引き込む手段と、
（ｃ）第１の折り返しが該第１の部分と該第２の部分との間に作成されるように、該第１の部分の中に該支持構造の第２の部分を前進させる手段と、
（ｄ）該第２の部分が該第１の部分の内側に対して拡張するまで、該第２の部分に対して該カテーテルを引き込み、それにより複数の層の支持構造を作成する手段と、
（ｅ）該支持構造を解放し、該カテーテルを該標的部位から移動する手段と
を含む、システム。
【請求項２６】
前記（ｂ）は、前記支持構造の前記第１の部分が、前記標的部位の生来の組織に対して拡張するように、該支持構造に対して前記カテーテルを引き込む手段を含み、該第１の部分は遠位端と近位端とを含み、該遠位端はカフを含む、請求項２５に記載のシステム。
【請求項２７】
前記（ｂ）は、
前記カフが拡張し、前記標的部位の前記生来の組織に接触するまで、前記支持構造に対して前記カテーテルを引き込む手段と、
該カフが生来のオリフィスの遠位側に接触するまで、近位方向に向けて該カフを引く手段と、
前記第１の部分の該近位側が拡張し、該標的部位の該生来の組織に接触するまで、該支持構造に対して該カテーテルを引き込む手段と
を含む、請求項２６に記載のシステム。
【請求項２８】
前記支持構造の前記第１の部分が、該カテーテルの外側に拡張するように、前記支持構造に対して前記カテーテルを引き込む手段は、該支持構造の該第１の部分が、前記標的部位の生来の組織に対して該カテーテルの外側に拡張するように、該支持構造に対して該カテーテルを引き込む手段を含む、請求項２５に記載のシステム。
【請求項２９】
前記（ｂ）は、前記支持構造の前記第１の部分が、弁組織、血管組織、および心臓組織からなる群に属する生来の組織に対して拡張するように、該支持構造に対して前記カテーテルを引き込む手段を含む、請求項２５に記載のシステム。